(57)【要約】【課題】  本発明は、杭頭補強部の型枠の組み立てや取り外しの手間を軽減すると共に、杭頭補強部と基礎梁部のコンクリート打設を一度に行うことによって、工期の短縮を図ることが出来る基礎構造を提供することを可能にすることを目的としている。【解決手段】  地盤３に埋設された杭頭２ａの周囲に筒状枠体５を配置し、該筒状枠体５を跨いでアンカーフレーム９を固定し、該アンカーフレーム９に柱脚アンカーボルト12を立設し、基礎梁部６の型枠内とそれに連通する筒状枠体５内に同時にコンクリートを打設して杭頭補強部４と基礎梁部６とが一体的に固定されて構築されたことを特徴とする。【選択図】      図１
2005090039.tif 000002
【特許請求の範囲】
【請求項１】
露出型固定柱脚の直下に鋼管杭を埋設する基礎構造であって、
杭頭周囲の根切り部に設けられた筒状枠体と、
前記筒状枠体を跨いで固定され、柱脚アンカーボルトを立設するアンカーフレームと、
を有し、
杭頭補強部と基礎梁部のコンクリートを同時に打設することによって構築されたことを特徴とする基礎構造。
【請求項２】
前記アンカーフレームは、
柱脚アンカーボルトを挿通して該柱脚アンカーボルトを固定するための複数の孔が設けられた平板と、
前記筒状枠体を跨いで固定される固定金物と、
前記平板と前記固定金物とを連結する連結部材と、
を有して構成したことを特徴とする請求項１に記載の基礎構造。
【発明の詳細な説明】
【技術分野】
【０００１】
本発明は、露出型固定柱脚の直下に鋼管杭を埋設する基礎構造に関するものである。
【背景技術】
【０００２】
従来、本出願人が特許を取得している特許第２５１６６５３号公報（特許文献１）に記載された露出型固定柱脚（商品名；ベースパック）において、柱脚の直下に鋼管杭を埋設する場合は、杭頭補強部を構築した後、該杭頭補強部上面にアンカーフレームを設置して柱脚アンカーボルトを立設させ、柱脚部を含む基礎梁部のコンクリートを打設して該基礎梁部を構築するのが一般であった。
【０００３】
【特許文献１】特許第２５１６６５３号公報
【発明の開示】
【発明が解決しようとする課題】
【０００４】
しかしながら、前述の従来例では、基礎部分のコンクリート打設が二度必要であり、杭頭補強部のコンクリートが硬化してから後に基礎梁部のコンクリートを打設しなければならないため工期が長くかかる上、杭頭補強部のコンクリートを打設するために型枠の組み付け及び取り外し作業が必要であった。
【０００５】
本発明は前記課題を解決するものであり、その目的とするところは、杭頭補強部の型枠の組み立てや取り外しの手間を軽減すると共に、杭頭補強部と基礎梁部のコンクリート打設を一度に行うことによって、工期の短縮を図ることが出来る基礎構造を提供せんとするものである。
【課題を解決するための手段】
【０００６】
前記目的を達成するための本発明に係る基礎構造は、露出型固定柱脚の直下に鋼管杭を埋設する基礎構造であって、杭頭周囲の根切り部に設けられた筒状枠体と、前記筒状枠体を跨いで固定され、柱脚アンカーボルトを立設するアンカーフレームとを有し、杭頭補強部と基礎梁部のコンクリートを同時に打設することによって構築されたことを特徴とする。
【０００７】
本発明は、上述の如く構成したので、地盤に埋設された杭頭の周囲に設けられた筒状枠体が杭頭補強部のコンクリートを打設する際の型枠として使用され、そのまま埋設される。筒状枠体を跨いでアンカーフレームが固定され、これに柱脚アンカーボルトを立設する。柱脚アンカーボルトの周囲に基礎梁部用の型枠を設置し、その型枠と連続された筒状枠体の内部にコンクリートを同時に打設して杭頭補強部と基礎梁部が一体的に固定されて構築される。
【０００８】
上記基礎構造により、杭頭補強部と基礎梁部のコンクリートの打設を一度とすることが出来るので工期を短縮することが出来、筒状枠体が杭頭補強部のコンクリートを打設する際の型枠として使用され、そのまま埋設されるため型枠の組み立てや取り外し作業が必要なく施工が容易で作業能率を向上することが出来る。
【０００９】
また、前記アンカーフレームは、柱脚アンカーボルトを挿通して該柱脚アンカーボルトを固定するための複数の孔が設けられた平板と、前記筒状枠体を跨いで固定される固定金物と、前記平板と前記固定金物とを連結する連結部材とを有して構成することが出来る。平板の中央部にコンクリート打設用の穴を設ければコンクリートの打設が容易に出来る。
【発明の効果】
【００１０】
本発明は、上述の如き構成と作用とを有するので、杭頭補強部の型枠の組み立てや取り外しの手間を軽減すると共に、杭頭補強部と基礎梁部のコンクリート打設を一度に行うことによって、工期の短縮を図ることが出来る。
【発明を実施するための最良の形態】
【００１１】
図により本発明に係る基礎構造の一実施形態を具体的に説明する。図１は本発明に係る基礎構造を示す模式説明図、図２及び図３は本発明に係る基礎構造の施工方法を説明する図である。
【００１２】
図１において、基礎１は、露出型固定柱脚の直下に鋼管杭２を埋設する基礎構造からなり、図２（ａ）及び図３（ｂ）に示すように、鋼管杭２を地盤３の所定深さに埋設し、鋼管杭２の杭頭２ａの周囲の地盤３を根切りして該杭頭２ａを所定の高さ露出させる。杭頭２ａの高さレベルを確認し、必要に応じて鋼管杭２の切断を行い、杭頭２ａに杭頭キャップ２ｂを取り付ける。
【００１３】
杭頭２ａの周囲に設けられる杭頭補強部４の地業を行い、地業を行った該杭頭２ａの周囲の根切り部に筒状枠体５を設置する。筒状枠体５は円筒状であるため外周部に埋め戻された土砂や内部に打設されたコンクリートにより側圧がかかっても安定して自立することが出来る。筒状枠体５は例えばボイド管と称する紙やダンボール製のものを採用することが出来る。このようなボイド管は高強度で且つ安価であるため地盤３に埋設してもコストを低減することが出来る。
【００１４】
次に筒状枠体５の周囲の土砂の埋め戻しと、基礎梁部６の下部の敷砂利７の地業を行い、筒状枠体５の外周地盤３に捨てコンクリート８を敷設する。このとき、捨てコンクリート８の高さレベルと筒状枠体５の上端レベルとを略同一となるように設定する。
【００１５】
次に図示しない柱芯の墨出しを行い、捨てコンクリート８に図２に示すアンカーフレーム９を固定するためのホールインアンカー10を立設する。次に杭頭２ａの上部で筒状枠体５の内部にスペーサ17を台座として杭頭補強部筋11を収容して設置し、図２に示すアンカーフレーム９を筒状枠体５を跨いで固定する。
【００１６】
アンカーフレーム９は、図２に示すように、４隅に設けた孔13ａに柱脚アンカーボルト12を挿通してダブルナットにより該柱脚アンカーボルト12が固定される平板13と、捨てコンクリート８に立設されたホールインアンカー10にナット止めされる固定金物となるＬ字状金物14と、平板13とＬ字状金物14を連結する断面コ字形状の連結部材15，16とを有して構成されている。
【００１７】
そして、アンカーフレーム９のＬ字状金物14の水平片14ａに形成された孔14ｂに捨てコンクリート８に立設したホールインアンカー10を挿通し、該ホールインアンカー10にナットを螺合締結することでアンカーフレーム９を筒状枠体５を跨いで固定する。連結部材15，16はコ字形状の断面を有するため柱脚アンカーボルト12及び柱型筋18を保持するのに十分な強度を有する。
【００１８】
次に平板13の孔13ａに柱脚アンカーボルト12を挿通し、該平板13の両側から該柱脚アンカーボルト12に各ナットを螺合締結することによりアンカーフレーム９に柱脚アンカーボルト12を固定し、杭頭補強部筋11の上部で柱脚アンカーボルト12を立設する。
【００１９】
次に柱脚アンカーボルト12の外周に図１に示す柱型筋18を設置し、基礎梁部６の基礎梁鉄筋19を設置する。そして、柱脚アンカーボルト12を含む基礎梁部６の図示しない型枠を設置し、その型枠内及びそれに連通する筒状枠体５内にコンクリートを同時に打設する。アンカーフレーム９の平板13の中央部には円形の穴13ｂが設けられており、この穴13ｂを利用して杭頭補強部４にコンクリートをスムーズに送り込むことが出来る。
【００２０】
これにより、杭頭補強部４と基礎梁部６のコンクリートを同時に打設することにより基礎１を構築することが出来る。
【００２１】
また、杭頭補強部４と基礎梁部６のコンクリートの打設を一度とすることが出来るので工期を短縮することが出来、筒状枠体５が内部に杭頭補強部筋11を収容した状態で杭頭補強部４のコンクリートを打設する際の型枠として使用され、そのまま埋設されるため型枠の組み立てや取り外し作業、更には取り外し後の杭頭補強部４の周囲の埋め戻し作業が必要なく施工が容易で作業能率を向上することが出来る。
【００２２】
尚、本実施形態では筒状枠体５を円形のリング状で構成した場合の一例について説明したが、三角形、四角形、五角形、六角形等の他の種々の多角形状の筒状枠体を採用することでも良い。
【産業上の利用可能性】
【００２３】
本発明の活用例として、鋼管杭を使用した中低層の鉄骨造の露出型固定柱脚の施工における基礎構造に適用出来る。
【図面の簡単な説明】
【００２４】
【図１】本発明に係る基礎構造を示す模式説明図である。
【図２】本発明に係る基礎構造の施工方法を説明する図である。
【図３】本発明に係る基礎構造の施工方法を説明する図である。
【符号の説明】
【００２５】
１…基礎
２…鋼管杭
２ａ…杭頭
２ｂ…杭頭キャップ
３…地盤
４…杭頭補強部
５…筒状枠体
６…基礎梁部
７…敷砂利
８…捨てコンクリート
９…アンカーフレーム
10…ホールインアンカー
11…杭頭補強部筋
12…柱脚アンカーボルト
13…平板
13ａ…孔
13ｂ…穴
14…Ｌ字状金物
14ａ…水平片
14ｂ…孔
15，16…連結部材
17…スペーサ
18…柱型筋
19…基礎梁鉄筋
【図１】
2005090039.tif 000003
【図２】
2005090039.tif 000004
【図３】
2005090039.tif 000005